(57)【特許請求の範囲】
【請求項１】
一側面に第１及び第２の各端子接続部を、他の面に第３の端子接続部を夫々設けたカバー本体内に、前記第１、第２，第３の各端子接続部に対応した端子相互間に電流通過を許容する電流通過回路を有したマザーボードと、分岐回路を有する分岐ユニットと、分配回路を有するタッププレートとが収容された分岐器であって、前記マザーボードに、前記分岐ユニットに設けられている入出力端子を第１と第２の端子接続部に接続する取り付け態様と第１と第３の端子接続部に接続する両態様にて、それぞれ分岐ユニットの入出力端子の配置パターンと合致する位置に、前記入出力端子に対して高周波信号を伝送可能に接続された中継端子を設けることによって、前記分岐ユニットを前記マザーボードに対して２種類の取り付け態様を選択可能ならしめて組み付け、前記タッププレートの接続端子を前記分岐ユニットの分岐端子に対して高周波信号を伝送可能に接続して成る分岐器。
【請求項２】
前記分岐ユニットの分岐端子を、回動中心位置に設けた請求項１に記載の分岐器。
【発明の詳細な説明】
【０００１】
【産業上の利用分野】
本発明は分岐器、殊にＣＡＴＶ用として好適な分岐器に関する。
【０００２】
【従来の技術】
ＣＡＴＶのケーブルは、電柱を利用して空中に架設されるばかりでなく、地中にケーブルが埋設される場合がある。
又加入数により分岐（分配）数も一定ではない。
よって、空中に架設するタイプの分岐器は、図５のａに例示する如く、入出力端子である第１の端子Ａと第２の端子Ｂとを互いに対向する面に設け、又ケーブルを地中に埋設するタイプの分岐器は、図５のｂに示す如く、入出力端子である第１の端子Ａと第３の端子Ｃとを同一面に設け、夫々分岐数の異なる多品種の製品を製造していた。
【０００３】
【発明が解決しようとする課題】
現在のケーブル網では、架設から埋設、或はその逆の埋設から架設に変更されることが予想されるが、その際、既設の分岐器を利用しようとすると、結線方向が変わって端子接続部の位置が適合しなくなるので、それがケーブル接続の障害となる。
又ケーブルの接続をやり直す場合には、分岐数の変更を伴なう場合が多い。
【０００４】
【課題を解決するための手段】
本発明は、架設タイプを埋設タイプに、或いはその逆に変更可能とした分岐器であって、その構成は、一側面に第１及び第２の各端子接続部を、他の面に第３の端子接続部を夫々設けたカバー本体内に、前記第１、第２，第３の各端子接続部に対応した端子相互間に電流通過を許容する電流通過回路を有したマザーボードと、分岐回路を有する分岐ユニットと、分配回路を有するタッププレートとが収容された分岐器であって、前記マザーボードに、前記分岐ユニットに設けられている入出力端子を第１と第２の端子接続部に接続する取り付け態様と第１と第３の端子接続部に接続する両態様にて、それぞれ分岐ユニットの入出力端子の配置パターンと合致する位置に、前記入出力端子に対して高周波信号を伝送可能に接続された中継端子を設けることによって、前記分岐ユニットを前記マザーボードに対して２種類の取り付け態様を選択可能ならしめて組み付け、前記タッププレートの接続端子を前記分岐ユニットの分岐端子に対して高周波信号を伝送可能に接続したことにある。
尚ここで高周波信号とは、テレビ信号やコントロール信号、連絡用の電話的送信信号を含む。
【０００５】
前記分岐回路は、その中央を支点とし、マザーボードへそのマザーボード面に沿って回動可能に支持したり、その分岐ユニットの分岐端子を、前記回動中心位置に設けることができる。
【０００６】
【作用】
分岐回路の取り付け態様を変更するだけで、入出力端子の位置を選択でき、又分岐端子数、分岐量を変更する場合は、ユニットごと交換すれば良い。
而も分岐回路を、その中央を支点とし、マザーボードへそのマザーボード面に沿って回動可能に支持すると共に、分岐ユニットの分岐端子を、前記回転中心位置に設ければ、操作性が良好となる。
【０００７】
【実施例】
本発明に係る分岐器の実施例を図面に基づいて説明する。
１は一面が開放されたカバー本体であり、そのカバー本体１には、片側に第１及び第２の端子Ａ，Ｂとの接続部としてのケーブル挿入孔２，３が、他側には第３の端子Ｃとの接続部としてのケーブル挿入孔４が夫々設けられ、内部には、マザーボード５、分岐ユニット６が収容されており、開放面はタッププレート７が一体に組み付けられた蓋体８で閉塞される。
前記マザーボード５はカバー本体１に固定され、図２に示す如くコイル９，９，９を介在させた電流通過回路５ａを備えていて、端子Ａ．Ｂ，Ｃ相互間の電流通過を許容している。
又コンデンサ１０，１０，１０を介在させた中継回路５ｂ，５ｂ，５ｂにより、中継端子１１，１２が前記第１の端子Ａと、１３，１４が夫々前記第２及び第３の端子Ｂ，Ｃと夫々高周波信号を伝送可能に接続されていている。
そして前記第１，第２，第３の各端子接続部は、各ケーブル挿入孔２，３，４から挿入させた同軸ケーブルの芯線をマザーボードにねじ止めするようになっている。
【０００８】
分岐ユニット６には分岐回路６ａが内蔵され、入力端子１５と出力端子１６とを備えている。
そして前記マザーボード５に対し、その中央を支点として回動可能に組み付けられており、前記中継端子１１，１３の組と１２，１４の組とは、夫々分岐ユニット６の入力端子１５と出力端子１６に対応したものとなっている。
又回動支点には分岐端子１７が設けられ、ねじ６ｂ，６ｂによりマザーボード５に止着される。
【０００９】
タッププレート７は、ねじ７ｂ，７ｂ・・によって蓋体８に固着されていて、分配回路７ａと複数の分配端子１８，１８・・とを有し、前記分岐端子１７との接続端子１９を備えている。
そして蓋体８には、前記分配端子１８，１８・・の数に応じたコネクタ座２０，２０・・が設けられている。
タッププレート７の分岐ユニット側は、ねじ７ｃ，７ｃにて止着されたカバー２１で覆われ、分配端子１８，１８・・は、蓋体８のコネクタ座２０，２０・・と接続されている（図３）。
【００１０】
このように形成された分岐器は、分岐ユニット６の入力端子１５とマザーボード５の中継端子１１とが接続されると共に、出力端子１６が中継端子１３に接続されると、第１の端子Ａを入力端子、第２の端子Ｂを出力端子とした架設タイプとして機能する。（図４のａ）。
ここで分岐数を増加しようとすれば、蓋体８を外してタッププレート７と分岐ユニット６とを取り外し、所望の分岐数に対応した蓋体とタッププレート、及び分岐量に適応した分岐ユニットに交換する。
又埋設タイプに変更する場合は、前記分岐ユニット６を９０度回転させれば、分岐ユニット６の入力端子１５とマザーボード５の中継端子１２とが接続されると共に、出力端子１６が中継端子１４に接続され、第１の端子Ａが入力端子、第３の端子Ｃが出力端子に変更される（図４のｂ）。
更に９０度回転させれば、第１の端子Ａを出力端子、第２の端子Ｂを入力端子に変更でき、そこから更に９０度回転させれば、第１の端子Ａを出力端子、第３の端子Ｃを入力端子にも変更できるのである。
【００１１】
このように、変更作業は、着脱及び回動させるだけであるから操作性に優れ、又、電流通過回路５ａと分岐回路６ａと分配回路７ａとを、マザーボード５と分岐ユニット６とタッププレート７とに夫々ユニット化し、且つ前記マザーボード５をカバー本体１に固着して各端子相互間を電流通過可能に接続したことによって、交換作業中でも電流の通過が遮断されることがなく、チェック機能が維持されるし、変更は各ユニット単体の交換で済み、分岐数の変更と端子の変更とも同時に行なえる。
【００１２】
尚、第１，第２，第３の各端子接続部は、実施例に示される如く、ケーブル挿入孔から挿入させた同軸ケーブルの芯線をマザーボードにねじ止めする構造に限定されず、コネクタを利用して接続するようにしても差し支えない。
そして各端子接続部の配置は、カバー本体の同一面と対向面とを選択するばかりでなく、隣接する側面相互間において選択可能とすることもでき、分岐数も増加させるばかりでなく減少させる場合もあって、タッププレートの分岐数はいくつでもかまわないし、分配端子に電流通過タイプを設定するなど、適宜変更できる。
又実施例は、分岐ユニットを回動させて接続される中継端子を選択するものであるが、分岐ユニットをずらせたり移動させて組み付け位置を変えることにより、中継端子を選択するようにもできる。
その場合各中継端子は、分岐ユニットの取り付け態様に対応する位置に設けられる。
【００１３】
【発明の効果】
本発明によれば、入出力端子の位置を変更でき、同時に分岐端子数の増加や、伝送方向の変更も行なえる。
【図面の簡単な説明】
【図１】本発明に係る分岐器の実施例を示す分解説明図である。
【図２】分岐器の回路説明図である。
【図３】分岐器の内部構造を示す説明図である。
【図４】端子の位置変更操作例を示す説明図である。
【図５】ａ，ｂは従来例の説明図である。
【符号の説明】
１・・カバー本体、２，３，４・・ケーブル挿通孔、３ｂ・・ねじ、５・・マザーボード、５ａ・・電流通過回路、６・・分岐ユニット、６ａ・・分岐回路、６ｂ・・ねじ、７・・タッププレート、７ａ・・分配回路７ｂ、７ｃ・・ねじ、８・・蓋体、９・・コイル、１０・・コンデンサ、１１，１２，１３，１４・・中継端子、１５・・入力触端子、１６・・出力端子、１７・・分岐端子、１８・・分配端子、１９・・接続端子、２０・・コネクタ座、２１・・カバー、Ａ・・第１の端子、Ｂ・・第２の端子、Ｃ・・第３の端子。
【図１】
0003623541.tif 000002
【図２】
0003623541.tif 000003
【図３】
0003623541.tif 000004
【図４】
0003623541.tif 000005
【図５】
0003623541.tif 000006